(57)【要約】【課題】靴本来の機能を十分に発揮させるとともに、指先部分の保護効果をもつ靴用中敷を提供する。【解決手段】中敷２を、靴１の内側底面１ｆの形状に略合致した平面形状をもつ本体部２１と該本体部２１の先端部２１ａに位置し且つ上記靴１の爪先部１ａの内面形状に略合致した外面形状をもち且つその後方側端部が足５０の指先位置と所定量重合する指先当部２２ａとされた先端構成部２２とを備えた構成とするとともに、これを低反発樹脂材の発泡成形により一体形成する。係る構成によれば、先端構成部２２の指先当部２２ａに足５０の指先が適度に押圧変形され、指先には先端構成部２２の変形に伴う反発力が作用し、足５０の指先と靴１の爪先内面との間に存在する隙間が先端構成部２２によって充填された状態となる。この結果、足５０には弾性反発力によって適度の拘束作用が働き、足５０の滑りが可及的に防止され、指先部分での踏ん張りが効き、俊敏な動きとか、安定した動きが実現でき、延いては靴１の本来の機能が十二分に発揮される。【選択図】図１
2008307352.tif 000002
【特許請求の範囲】
【請求項１】
靴（１）の内側底面（１ｆ）に敷設される中敷（２）であって、
上記内側底面（１ｆ）の形状に略合致した平面形状をもつ略平板状の本体部（２１）と該本体部（２１）の先端部（２１ａ）に位置し且つ上記靴（１）の爪先部（１ａ）の内面形状に略合致した外面形状をもつとともにその後方側端部が上記靴（１）を履いた使用者の足（５０）の指先位置と所定量重合する指先当部（２２ａ）とされた先端構成部（２２）とを低反発樹脂材の発泡成形により一体形成したことを特徴とする靴用中敷。
【請求項２】
請求項１において、
上記本体部（２１）が、上記内側底面（１ｆ）のうち少なくともその前半部の形状に略合致した平面形状及び大きさを有することを特徴とする靴用中敷。
【請求項３】
請求項１又は２において、
上記指先当部（２２ａ）が、上記使用者の各指の指先位置を連ねた指先連続線の形状に略合致した平面視形状に設定されていることを特徴とする靴用中敷。
【請求項４】
請求項１又は２において、
上記指先当部（２２ａ）が、上記使用者の各指の指先形状に略合致するような平面視形状に設定されていることを特徴とする靴用中敷。
【請求項５】
請求項１，２，３又は４において、
上記本体部（２１）が、上記靴（１）の内側底面（１ｆ）の平面形状よりも所定量だけ大きな平面形状を有していることを特徴とする靴用中敷。
【請求項６】
請求項１，２，３、４又は５において、
上記本体部（２１）のうち、使用者の足（５０）の土踏まず部（５５）に対応する部位には該本体部（２１）の表面から上方へ隆起した中間隆起部（２３）が設けられていることを特徴とする靴用中敷。
【請求項７】
請求項１，２，３、４又は５において、
上記本体部（２１）の外周縁部分に、該本体部（２１）の表面から上方へ隆起する外周隆起部（２４）が設けられていることを特徴とする靴用中敷。
【発明の詳細な説明】
【技術分野】
【０００１】  本願発明は、靴の中底に敷設される靴用中敷に関するものである。
【背景技術】
【０００２】  靴の中敷に関しては、従来から種々の構造が提案されている（特許文献１〜６参照）。
【０００２−２】
特許文献１に開示されるものは、靴のフィッテイング機能や歩行支援機能を高めるために、足の所定部位を補助するパッド部を設けた中敷である。
【０００３】  特許文献２に開示されるものは、足の蒸れ防止を目的として、中敷を、紙材からなるベースシートと、透湿性とか通気性等を有する長繊維不織布でなる上シートと、これらの間に配置したクッション材で構成したものである。
【０００４】  特許文献３に開示されるものは、中敷に靴内送気構造を備え、靴内の空気を循環させることで通気性を向上させ、防湿、消臭効果を高めるものである。
【０００５】  特許文献４に開示されるものは、外部からの衝撃及び圧迫に対してつま先を保護するために、中敷の先端部にドーム状の機械的強度が高い芯材を取付けたものである。
【０００６】  特許文献５に開示されるものは、外反母趾の予防あるいはその痛みの軽減のために、土踏まず部近傍に隆起部を設けた中敷である。
【０００７】  特許文献６に開示されるものは、子供の足の成長に合わせて靴の内部の長さ調節をするために、中敷のつま先部分に周壁を着脱可能に取付けたものである。
【０００８】
【特許文献１】  特開２００５−２９６６０４号公報
【特許文献２】  特開２００１−２５８６１０号公報
【特許文献３】  特開２００１−１９０３０２号公報
【特許文献４】  特開２００１−２３８７０３号公報
【特許文献５】  特開平９−１９１９０４号公報
【特許文献６】  特開２００４−２８３５００号公報。
【発明の開示】
【発明が解決しようとする課題】
【０００９】  ところで、通常、靴の購入に際しては、自分の足の大きさに合わせたサイズの靴を選択するが、この場合、靴と足の間においてサイズ的な余裕が少ないと、例えば、靴の履用中、靴の内面との接触によって指先部とか踵部を傷めることが懸念されるため、通常は、足のサイズより少し大きめのサイズの靴を選択するのが一般的である。従って、靴の履用状態では、靴の爪先部分の内面と指先間に隙間が不可避的に存在することになる。【００１０】  一方、このような靴の爪先部分の内面と指先間の長さ方向における隙間の存在は、靴の履用時において靴の中で足が前後方向に滑りを生じ得ることを意味している。このため、かかる点を考慮し、靴の形状とか寸法の設計に際しては、足の甲の両側部分を靴の内面両側部によって外側から抱持してこれを拘束することで、足の前後方向への滑りを抑制し得るようにしている。【００１１】  しかし、この抱持作用による足の拘束は、靴の中での足の滑りの抑制という有用な効果を奏する反面、これが過度になると、足の甲部分が靴の内面両側部との接触によって傷められることも考えられるため、これらの利害得失を比較考量して、抱持作用による足の拘束程度を比較的低く抑えているのが実情である。【００１２】  この結果、特に、靴を履いての活動中、足の指先部分に比較的大きな前後あるいは左右方向への荷重が掛かる機会の多いスポーツ用靴等においては足の滑りが生じ易く、これに起因して、例えば、指先部分での踏ん張りが効かず、俊敏な動き、安定した動きがとれないとか、靴とのフィット性あるいは靴との一体感が損なわれ良好な履き心地が得られない、等の体感的な問題の他、足への継続的な過度の負担によって指先部分を傷めるとか外反母趾を誘発する等の身体的な問題を招来することも考えられる。【００１３】  また、靴を履いての歩行時における安全性は、足と靴との一体感が伴って初めて実現されるものであるところ、上述の如き上記隙間の存在に起因する足の滑りは、足と靴との一体感を損ねるものであって、例えば、高齢者とか身体障害者等の足の活動機能が低下した者にとっては歩行の障害ともなり得るものであり、このような歩行上の安全性の阻害は、高齢者社会の到来に鑑みれば、決して看過し得ない問題である。【００１４】  そこで、本願発明は、上記問題点に鑑み、靴本来の機能を十分に発揮させるとともに、指先部分の保護効果をもつ靴用中敷を提供することを目的とする。
【課題を解決するための手段】
【００１５】  本願発明では、上記課題を解決するために以下のような構成を採用している。【００１６】  本願の第１の発明では、靴１の内側底面１ｆに敷設される中敷２において、該中敷２を、上記内側底面１ｆの形状に略合致した平面形状をもつ略平板状の本体部２１と該本体部２１の先端部２１ａに位置し且つ上記靴１の爪先部１ａの内面形状に略合致した外面形状をもつとともにその後方側端部が上記靴１を履いた使用者の足５０の指先位置と所定量重合する指先当部２２ａとされた先端構成部２２とを低反発樹脂材の発泡成形により一体形成したことを特徴としている。【００１７】  本願の第２の発明では、上記第１の発明に係る靴用中敷において、上記本体部２１が、上記内側底面１ｆのうち少なくともその前半部の形状に略合致した平面形状及び大きさを有することを特徴としている。【００１８】  本願の第３の発明では、上記第１又は第２の発明に係る靴用中敷において、上記指先当部２２ａを、上記使用者の各指の指先位置を連ねた指先連続線の形状に略合致した平面視形状に設定したことを特徴としている。【００１９】  本願の第４の発明では、上記第１又は第２の発明に係る靴用中敷において、上記指先当部２２ａを、上記使用者の各指の指先形状に略合致するような平面視形状に設定したことを特徴としている。【００２０】  本願の第５の発明では、上記第１、第２、第３又は第４の発明に係る靴用中敷において、上記本体部２１を、上記靴１の内側底面１ｆの平面形状よりも所定量だけ大きな平面形状に設定したことを特徴としている。【００２１】  本願の第６の発明では、上記第１、第２、第３、第４又は第５の発明において、上記本体部２１のうち、使用者の足５０の土踏まず部５５に対応する部位に、該本体部２１の表面から上方へ隆起する中間隆起部２３を設けたことを特徴としている。【００２２】  本願の第７の発明では、上記第１、第２、第３、第４又は第５の発明において、上記本体部２１の外周縁部分に、該本体部２１の表面から上方へ隆起する外周隆起部２４を設けたことを特徴としている。
【発明の効果】
【００２３】  （ａ）本願の第１の発明に係る靴用中敷では、靴１の内側底面１ｆの形状に略合致した平面形状をもつ略平板状の本体部２１と該本体部２１の先端部２１ａに位置し且つ上記靴１の爪先部１ａの内面形状に略合致した外面形状をもつとともにその後方側端部が上記靴１を履いた使用者の足５０の指先位置と所定量重合する指先当部２２ａとされた先端構成部２２とを低反発樹脂材の発泡成形により一体形成している。従って、この発明に係る靴用中敷では以下のような特有の効果が得られる。【００２４】（ａ−１）  上記中敷２を靴１の内側底面１ｆに敷設した状態で靴１を履くと、上記先端構成部２２の指先当部２２ａに足５０の指先が当接しこれが適度に押圧変形され、上記指先には上記先端構成部２２の変形に伴う弾性反発力が作用することから、足５０の指先と靴１の爪先内面との間に存在する隙間が上記先端構成部２２によって充填された状態となり、上記足５０には上記弾性反発力によって適度の拘束作用が働き、靴１と足５０との一体性が促進される。従って、例えば、靴を履いての活動中に足の指先部分に比較的大きな前後あるいは左右方向への荷重が掛かったとしても、上記先端構成部２２の弾性反発作用によって足５０に滑りが生じるのが可及的に防止され、この結果、指先部分での踏ん張りが効き、俊敏な動きとか、安定した動きが実現でき、延いては靴１の本来の機能が十二分に発揮されることになる。【００２５】（ａ−２）  また、このような足の滑りの抑制は、靴１を履いた者にとっては、自分の足と靴１との一体感を高める効果をもたらすものであり、従って、係る足と靴との一体感が得られることで、例えば、高齢者とか身体障害者等の足の活動機能が低下した者が靴を履いて歩行する場合、その歩行の安全性が確保され、しかも係る効果が中敷２の敷設という簡易且つ安価な手段で確保されることから、高齢者社会において極めて高い有用性を有するものである。【００２６】（ａ−３）  さらに、たとえ上記足５０が前後あるいは左右方向への突発的な荷重を受けて一過的な滑りを生じたとしても、この荷重が軽減あるいは消滅して上記足５０が滑り状態から復帰すれば、これに伴って上記先端構成部２２もゆっくりと初期状態に形状復帰し、上記足５０の指先部分に対する弾性拘束作用を回復するため、上記先端構成部２２による足５０の保護機能が長期に亘って維持される。【００２７】（ａ−４）  上記先端構成部２２が、低反発樹脂材の発泡成形により形成されているので、該先端構成部２２の変形に伴う弾性反発力が過大とならず適度に抑えられることから、靴１を長時間履いていても指先に過度の負担を掛けることがなく、例えば、指先部分を傷めるとか、外反母趾を誘発する等の問題の発生が防止され、靴１の履用上における安全性及び信頼性が高められる。【００２８】（ａ−５）  上記本体部２１と先端構成部２２が、低反発樹脂材の発泡成形により一体形成されているので、上記本体部２１はこれが対応する足裏部分の形状に沿って、また上記先端構成部２２はこれが対応する指先部分の形状に沿って、それぞれ弾性変形することから、足５０と靴１との間における高いフィット性が確保され、足裏部分及び指先部分に掛かる荷重が中敷２を介して分散支持され、上記靴１の足５０に対する保護性能がさらに向上する。【００２９】  （ｂ）本願の第２の発明に係る靴用中敷によれば、上記（ａ）に記載の効果に加えて次のような特有の効果が得られる。即ち、この発明では、上記本体部２１を、上記内側底面１ｆのうち少なくともその前半部の形状に略合致した平面形状及び大きさとしているので、ヒール高さが高くその前傾角度が大きく、履用時に足５０の指先部分に掛かる力が大きい等の履用特性をもつ靴、例えば、女性用のハイヒールに適用することで、指先部分の保護が確実となる。【００３０】  （ｃ）本願の第３の発明に係る靴用中敷によれば、上記（ａ）又は（ｂ）に記載の効果に加えて次のような特有の効果が得られる。即ち、この発明では、上記指先当部２２ａを、使用者の各指の指先位置を連ねた指先連続線の形状に略合致した平面視形状に設定しているので、上記先端構成部２２の大きさが、足５０の指先部分の保護機能を達成する上において必要最小限に設定され、中敷２の素材である低反発樹脂材の有効使用が実現され、延いては中敷２の機能確保と低コスト化の両立が促進される。【００３１】  （ｄ）本願の第４の発明に係る靴用中敷によれば、上記（ａ）又は（ｂ）に記載の効果に加えて次のような特有の効果が得られる。即ち、この発明では、上記指先当部２２ａを、上記使用者の各指の指先形状に略合致するような平面視形状に設定しているので、靴１の履用状態において、足５０の指先との当接によって変形される上記先端構成部２２の変形量、延いては、変形に伴う弾性反発力が各指相互間で可及的に均等となり、上記先端構成部２２による拘束感、及び靴１に対するフィット感が良好となる。【００３２】  （ｅ）本願の第５の発明に係る靴用中敷によれば、上記（ａ）又は（ｂ）に記載の効果に加えて次のような特有の効果が得られる。即ち、この発明では、上記本体部２１を、上記靴１の内側底面１ｆの平面形状よりも所定量だけ大きな平面形状に設定しているので、靴１の履用状態においては、足５０の指先及び足裏部分のみならず、足裏周縁から足表側へかけての弧状面部分においても、上記本体部２１の周縁部分が該弧状面に沿って変形してこれにフィットすることから、足５０に対する保護性能の更なる向上が期待できる。【００３３】  （ｆ）本願の第６の発明に係る靴用中敷によれば、上記（ａ）、（ｂ）、（ｃ）、（ｄ）又は（ｅ）に記載の効果に加えて次のような特有の効果が得られる。即ち、この発明では、上記本体部２１のうち、使用者の足５０の土踏まず部５５に対応する部位に、該本体部２１の表面から上方へ隆起する中間隆起部２３を設けているので、靴１の履用状態において、上記中間隆起部２３が足５０の土踏まず部５５からの押圧力を受けて変形し、その変形に伴う反発力が常時土踏まず部５５に掛かることから、該土踏まず部５５の形成作用が促進され、延いては偏平足の改善効果が期待できる。【００３４】  （ｇ）本願の第７の発明に係る靴用中敷によれば、上記（ａ）、（ｂ）、（ｃ）、（ｄ）又は（ｅ）に記載の効果に加えて次のような特有の効果が得られる。即ち、この発明では、上記本体部２１の外周縁部分に、該本体部２１の表面から上方へ隆起する外周隆起部２４を設けている。この場合、足５０の足裏周縁から足表側へかけての弧状面部分は靴１の側部と内側底面とのコーナ部分に対応し、該部分との間に、その周縁方向へ延びる隙間が生じ易い部位であるところ、上記本体部２１の外周縁部分に上記外周隆起部２４を設けることで、該外周隆起部２４が足５０側の面と靴１側の面との間で弾性変形して上記隙間が充填され、足裏周縁から足表側へかけての弧状面部分におけるフィット性が確保され、靴１の履き心地が良好となり、延いては足５０全体の保護促進が期待できる。
【発明を実施するための最良の形態】
【００３５】  以下、本願発明を好適な実施形態に基づいて具体的に説明する。【００３６】  Ａ：第１の実施形態
図１には、本願発明の第１の実施形態に係る靴用の中敷２及びこれが適用される靴１を示している。また、図２には、上記靴１内に上記中敷２を敷設した状態を示している。
Ａ−１：靴１【００３７】  上記靴１は、周知形体の男性用革靴であって、符号１ａは爪先部、１ｂは踵部、１ｃ及び１ｄは左右一対の側部、１ｅは土踏まず対応部、１ｆは内側底面１ｆ、１ｇはインステップ部、１ｈは履口部、１ｊは後側部を示している。この靴１は、上記内側底面１ｆ上に次述の中敷２を敷設することで、これが本来的に有する有効な機能を確実に発揮でき、その商品価値及び使用価値が向上するものである。【００３８】  尚、ここでは上記靴１として男性用革靴を示しているが、これは上記中敷２が適用される靴の一例として挙げたものであって、本願発明が適用され得る「靴」は、上記男性用革靴に限定されるものではなく、例えば、ゴルフシューズ、テニスシューズ等の競技用靴、スニーカとか運動靴等の布製靴、女性用ハイヒール等、多種多様の靴に適用し得るものである。【００３９】  Ａ−２：中敷２
上記中敷２は、本願発明の要旨を成すものであって、その素材的な特性と特有の形体に特徴をもつものであって、略平板状の本体部２１と、該本体部２１の先端部２１ａに位置する先端構成部２２を備える。【００４０】  上記本体部２１は、図１〜図３に示すように、上記靴１の内側底面１ｆの形状に沿った平面形状をもつ所定厚さの平板体とされ、該内側底面１ｆの全域を覆うように敷設されるが、特にこの実施形態では、その平面視における外形寸法を、上記靴１の内側底面１ｆの外形寸法よりも所定寸法だけ大きく設定し、該内側底面１ｆへの敷設状態においてその周縁部分が該内側底面１ｆとこれに連続する側面部分とのコーナ部分にも対応し得るようにしている（図２、図８、図９参照）。【００４１】  そして、上記本体部２１は、足５０の指先部５２に対応する先端部２１ａと、踵部５４に対応する後端部２１ｂと、甲部５１の両側部に対応する側部２１ｃ、２１ｄと、土踏まず部５５に対応する土踏まず対応部２１ｅの各部を備えるが、この実施形態でが、これら各部ともその厚さを略同等に設定している。この場合、本体部２１の厚さとしては、５ｍｍ〜１５ｍｍの範囲内が好適である。厚さ５ｍｍ以下では変形後における弾性が確保しにくくなり、厚さ１５ｍｍ以上では変形後の荷重支持形態に安定性を欠くためである。【００４２】  尚、他の実施形態においては、図１、図３に鎖線図示するように、上記土踏まず対応部２１ｅを局部的に隆起させて中間隆起部２３を設けることもできる。係る構成とした場合には、靴１の履用状態において、上記中間隆起部２３が足５０の上踏まず部５５からの押圧力を受けて変形し、その変形に伴う反発力が常時土踏まず部５５に掛かることから、該土踏まず部５５の形成作用が促進され、延いては偏平足の改善効果が期待できる。【００４３】  上記先端構成部２２は、上記本体部２１の先端部２１ａにおいて該先端部２１ａから上方へ隆起するようにしてこれと一体的に形成されたものであって、図１〜図３に示すように、上記靴１の爪先部１ａの内面形状に沿うような曲面体状の外周部２２ｂをもつとともに、該外周部２２ｂの後端面は指先当部２２ａを構成するものであって、足５０の各指の指先位置を連ねた指先連続線の形状に略合致した平面視形状に設定されている。【００４４】  この場合、上記指先当部２２ａの上記中敷２の前後方向における形成位置は、図５、図６に示すように、靴１に足５０を差入れた靴の履用状態において、該足５０の指先部５２が上記指先当部２２ａに対応し、且つ各指５２ａ〜５２ｅの先端部分が上記指先当部２２ａを押圧してこれを前方側へ適度に変形させ得るような位置に設定されている。【００４５】  尚、上記中敷２は、上述のようにこれが適用される靴の種類、形状等が広範であることから、該中敷２の形状、寸法も適用対象に対応して複数用意することになる。特に、上記中敷２の先端構成部２２は、靴１を履いたときに生じる靴１の爪先部１ａの内面と足５０の指先部５２との間の隙間を充填する機能を必要とすることから、その形状設定に際しては、上記靴１の爪先部１ａの内面形状に対応させることが必要である。【００４６】  ここで、上記中敷２は、ポリオールとポリイソシアネートを主成分とする低反���樹脂材を成形素材とし、これを発泡成形して得られる連通気泡性の発泡成形体であって、その特性としての低反発性（即ち、弾性と粘性を併せもち、高い衝撃吸収性と応力分散性、及び復元性に特徴をもつもの）に基づく諸性能により、中敷として好適な特性が付与されている。そして、係る特性を得る観点からして、上記低反発樹脂材としては、靴の使用条件（力の掛かり方、力の大きさ等）によって多少異なるものの、一般的な使用条件に照らせば、例えば、反発弾性率（ＪＩＳ  Ｋ  ６４００準拠）が１５％以下で、硬度（ＪＩＳＫ  ６４００に基づく２５％硬度）が５０〜１５０Ｎ程度のものが好適である。【００４７】  Ａ−３：中敷２の作用効果
図２には、上記中敷２を上記靴１内に差し入れてこれを上記内側底面１ｆ上に敷設した状態を示している。この状態では、上記中敷２の本体部２１が上記靴１の内側底面１ｆの当接衝合し、また上記先端構成部２２はその外周部２２ｂが上記靴１の爪先部１ａの内面に当接衝合している。【００４８】  図４〜図９には、図２に示す上記中敷２の敷設状態において、人が靴１内に足５０を差し入れた履用状態を示している。この履用状態での側面視においては、図４に示すように、上記中敷２の本体部２１は、足裏部５３に掛かる押圧力で弾性変形するが、この場合、低反発樹脂材の特性で足裏部５３の面形状に沿って柔軟に変形して足裏部５３全域に密着し、足裏部５３に掛かる力が足裏部５３全域に分散して支持されている。【００４９】  係る密着性と力の分散支持性は、足５０の踵部５４部分（図４、図９参照）、甲部５１の両側部（図７参照）及び土踏まず部５５（図８参照）においても、同様に実現されている。この結果、足裏部５３部分に過度の荷重が掛かることがなく、足裏部５３部分の保護が図られる。【００５０】  さらに、靴１のコーナ部分においても、図７〜図１０にそれぞれ示すように、上記中敷２の本体部２１の周縁部分がコーナ形状に沿って密着状態で存在し、靴１に対して足５０が前後左右方向へ滑ることが可及的に抑制されており、これによって安定した履き心地が確保されている。【００５１】  一方、上記中敷２の先端構成部２２部分においては、図５及び図６に示すように、該先端構成部２２の外周部２２ｂが上記靴１の爪先部１ａの内面に当接衝合しそれぞれの内面形状に沿って変形している。また、先端構成部２２の上記指先当部２２ａ側においては、該指先当部２２ａ部分が上記足５０の各指５２ａ〜５２ｅからの押圧力を受けて、該各指５２ａ〜５２ｅの先端形状に合致した形で前方側へ適度に変形している。【００５２】  従って、上記先端構成部２２には、上記外周部２２ｂ側の変形と上記指先当部２２ａ側の変形の相乗作用によって前後方向に適度の反発力を発生しており、しかも、上記靴１の爪先部１ａの内面と足５０の指先との間の隙間に上記先端構成部２２が圧縮変形状態で存在し該隙間を充填していることから、これらの相乗作用によって、靴１と足５０の一体感、フィット感が得られ、良好な履き心地が感得される。さらに、例え足５０に前後方向への荷重が掛かったとしても、この荷重が上記先端構成部２２において分散吸収されるとともに、該足５０には上記先端構成部２２の弾性変形による拘束作用は働くことから、該足５０に大きな滑りが生じることはなく、安定した信頼感の高い履き心地が得られる。【００５３】  以上のような上記中敷２の上記本体部２１側における足５０の足裏部５３及びその周縁部分に対する保護作用と拘束作用、及び上記先端構成部２２における足５０の指先部５２に対する保護作用と拘束作用が、相互に協働し合うことで、例えば、靴を履いての活動中に足５０の指先部分に比較的大きな前後あるいは左右方向への荷重が掛かったとしても、上記中敷２の先端構成部２２の弾性反発作用によって足５０に滑りが生じるのが可及的に防止され、この結果、指先部分での踏ん張りが効き、俊敏な動きとか、安定した動きが実現でき、延いては靴１の本来の機能が十二分に発揮されることになる。【００５４】  また、このように足の滑りが抑制されることで、靴１を履いた者にとって自分の足と靴１との一体感が高められることとなり、その結果、例えば、高齢者とか身体障害者等の足の活動機能が低下した者が靴を履いて歩行する場合、その歩行の安全性が確保され、しかも係る効果が中敷２の敷設という簡易且つ安価な手段で確保されることから、高齢者社会において極めて高い有用性を有するものである。【００５５】  また、例え足５０が前後あるいは左右方向への突発的な荷重を受けて一過的な滑りを生じたとしても、この荷重が軽減あるいは消滅して上記足５０が滑り状態から復帰すれば、これに伴って上記先端構成部２２もゆっくりと初期状態に形状復帰し、上記足５０の指先部分に対する弾性拘束作用を回復するため、上記先端構成部２２による足５０の保護機能が長期に亘って維持される。【００５６】  さらに、上記先端構成部２２が、低反発樹脂材の発泡成形により形成されているので、該先端構成部２２の変形に伴う弾性反発力が過大とならず適度に抑えられることから、靴１を長時間履いていても指先に過度の負担を掛けることがなく、例えば、指先部分を傷めるとか、外反母趾を誘発する等の問題の発生が防止され、靴１の履用上における安全性及び信頼性が高められる。【００５７】  また、上記本体部２１と先端構成部２２が、低反発樹脂材の発泡成形により一体形成されているので、上記本体部２１はこれが対応する足裏部５３の面形状に沿って、また上記先端構成部２２はこれが対応する指先部５２の形状に沿って、それぞれ弾性変形することから、足５０と靴１との間における高いフィット性が確保され、足裏部５３及び指先部５２に掛かる荷重が上記中敷２を介して分散支持され、上記靴１の足５０に対する保護性能がさらに向上する。【００５８】  さらに、この実施形態では、上記指先当部２２ａを、使用者の各指の指先位置を連ねた指先連続線の形状に略合致した平面視形状に設定しているので、上記先端構成部２２の大きさが、足５０の指先部５２の保護機能を達成する上において必要最小限に設定され、上記中敷２の素材である低反発樹脂材の有効使用が実現され、延いては該中敷２の機能確保と低コスト化の両立が促進される。【００５９】  また、上記中敷２においては、上述のように、上記本体部２１を、上記靴１の内側底面１ｆの平面形状よりも所定量だけ大きな平面形状に設定しているので、靴１の履用状態においては、足５０の指先及び足裏部分のみならず、足裏周縁から足表側へかけての弧状面部分においても、上記本体部２１の周縁部分が該弧状面に沿って変形してこれにフィットすることから、足５０に対する保護性能の更なる向上が期待できる。【００６０】  なお、図１に示すように、上記中敷２の上記本体部２１のうち、使用者の足５０の土踏まず部５５に対応する部位に、該本体部２１の表面から上方へ隆起する上記中間隆起部２３を設ければ、上記靴１の履用状態において、上記中間隆起部２３が足５０の土踏まず部５５からの押圧力を受けて変形し、その変形に伴う反発力が常時上踏まず部５５に掛かることから、該土踏まず部５５の形成作用が促進され、延いては偏平足の改善効���が期待できる。【００６１】  Ｂ：第２の実施形態
図１０及び図１１には、本願発明の第２の実施形態に係る靴用の中敷２及びこれが適用される靴１を示している。この実施形態の上記中敷２は、上記第１の実施形態におけるものとその基本構成を同じにし、これと異なる点は、上記第１の実施形態における上記中敷２においては、その先端構成部２２の指先当部２２ａを、使用者の各指の指先位置を連ねた指先連続線の形状に略合致した平面視形状に設定していたのに対して、この実施形態では上記先端構成部２２の指先当部２２ａを、上記使用者の各指の指先形状に略合致するような平面視形状に設定した点である。【００６２】  このように上記先端構成部２２の指先当部２２ａの形状を設定したことで、上記靴１の履用状態において、上記足５０の指先との当接によって変形される上記先端構成部２２の変形量、延いては、変形に伴う弾性反発力が各指相互間で可及的に均等となり、上記先端構成部２２による上記足５０の拘束感、及び靴１に対するフィット感がより一層良好となる。【００６３】  尚、これ以外の構成及び作用効果は、上記第１の実施形態の場合と同様であるため、図１０及び図１１の各部材に、第１実施形態に係る各図に示した各部材に対応させてこれと同一符号を付して、該第１の実施形態における該当説明を援用することで、ここでの説明を省略する。【００６４】  Ｃ：第３の実施形態
図１２及び図１３には、本願発明の第３の実施形態に係る靴用の中敷２を示している。この実施形態の上記中敷２は、上記第１の実施形態におけるものとその基本構成を同じにし、これと異なる点は、上記第１の実施形態における上記中敷２においては、上記本体部２２を略平板状に形成していたのに対して、この実施形態の中敷２においては、上記本体部２２の外周縁部分に、該本体部２１の表面から上方へ隆起する外周隆起部２４を設けた点である。【００６５】  この場合、上記足５０の足裏周縁から足表側へかけての弧状面部分は靴１の側部と内側底面とのコーナ部分に対応し、該部分との間に、その周縁方向へ延びる隙間が生じ易い部位であるところ、この実施形態のように、上記本体部２１の外周縁部分に上記外周隆起部２４を設けることで、該外周隆起部２４が足５０側の面と靴１側の面との間で弾性変形して上記隙間が充填され、足裏周縁から足表側へかけての弧状面部分におけるフィット性が確保され、靴１の履き心地が良好となり、延いては足５０全体の保護促進が期待できる。【００６６】  尚、これ以外の構成及び作用効果は、上記第１の実施形態の場合と同様であるため、図１２及び図１３の各部材に、第１実施形態に係る各図に示した各部材に対応させてこれと同一符号を付して、該第１の実施形態における該当説明を援用することで、ここでの説明を省略する。【００６７】  Ｃ：第４の実施形態
図１４及び図１５には、本願発明の第４の実施形態に係る靴用の中敷２を示している。この実施形態の中敷２は、女性用のハイヒール構造の靴１に適用するに好適なものである。即ち、係る靴１は、ヒール高さが高くその前傾角度が大きく、履用時に足５０の指先部分に掛かる力が大きいという履用特性をもつことから、係る履用特性を考慮して、本体部２１と先端構成部２２を備えて構成される中敷２において、上記本体部２１を、上記靴１の内側底面１ｆのうち少なくともその前半部（即ち、体重が最も掛かる部位）の形状に略合致した平面形状及び大きさとするとともに、該本体部２１の先端部分に上記各実施形態の場合と同様な先端構成部２２を備えた構成としたものである。【００６８】  係る構成の中敷２によれば、上記各実施形態における場合と同様の作用効果が得られるのに加えて、上記本体部２１と上記先端構成部２２の双方において、足５０に掛かる荷重（主として体重）を効果的に分散支持することができ、これによって指先部５２部分の保護がより一層確実となる。【００６９】  尚、これ以外の構成及び作用効果は、上記第１の実施形態の場合と同様であるため、図１４及び図１５の各部材に、第１実施形態に係る各図に示した各部材に対応させてこれと同一符号を付して、該第１の実施形態における該当説明を援用することで、ここでの説明を省略する。
【図面の簡単な説明】
【００７０】
【図１】  本願発明の第１の実施形態に係る靴用中敷を示す斜視図である。
【図２】  図１に示した靴用中敷を靴内に敷設した状態を示す断面図である。
【図３】  図１に示した靴用中敷の平面図である。
【図４】  靴用中敷が付設された靴に足を入れた状態を示す断面図である。
【図５】  図４のＶ矢視図である。
【図６】  図５のＶＩ−ＶＩ断面図である。
【図７】  図５のＶＩＩ−ＶＩＩ断面図である。
【図８】  図５のＶＩＩＩ−ＶＩＩＩ断面図である。
【図９】  図５のＩＸ−ＩＸ断面図である。
【図１０】  本願発明の第２の実施形態に係る靴用中敷を示す斜視図である。
【図１１】  図１０に示した靴用中敷の平面図である。
【図１２】  本願発明の第３の実施形態に係る靴用中敷を示す斜視図である。
【図１３】  図１２に示した靴用中敷の平面図である。
【図１４】  本願発明の第４の実施形態に係る靴用中敷を敷設した状態を示す側面図である。
【図１５】  図１４のＸＶ矢視図である。
【符号の説明】
【００７１】    １  ・・靴
２  ・・中敷
２１  ・・本体部
２２  ・・先端構成部
２３  ・・中間隆起部
２４  ・・外周隆起部
５０  ・・足
【図１】
2008307352.tif 000003
【図２】
2008307352.tif 000004
【図３】
2008307352.tif 000005
【図４】
2008307352.tif 000006
【図５】
2008307352.tif 000007
【図６】
2008307352.tif 000008
【図７】
2008307352.tif 000009
【図８】
2008307352.tif 000010
【図９】
2008307352.tif 000011
【図１０】
2008307352.tif 000012
【図１１】
2008307352.tif 000013
【図１２】
2008307352.tif 000014
【図１３】
2008307352.tif 000015
【図１４】
2008307352.tif 000016
【図１５】
2008307352.tif 000017